(57)【要約】【課題】  構造上、大きな封筒等は切ることができない。また、切断刃の強さをカムによって行うため、いちいち調整しなければならず、面倒であり、厚い物はカットできない。さらにまた、封筒等のカット位置が分かりにくい。【解決手段】  封筒を水平方向に挿入するガイドを形成してなる本体の前部に、切刃を着脱自在に取り付ける切刃ホルダーを上下動させるバネを設けると共に、切刃ホルダーを下方に押える押え具を設けてなることを特徴とする。【選択図】図１
2012148042.tif 000002
【特許請求の範囲】
【請求項１】
封筒を水平方向に挿入するガイドを形成してなる本体の前部に、切刃を着脱自在に取り付ける切刃ホルダーを上下動させるバネを設けると共に、切刃ホルダーを下方に押える押え具を設けてなることを特徴とする封筒開封具。
【請求項２】
切刃ホルダーの上への抜けを防止するストッパーを設けてなることを特徴とする請求項１記載の封筒開封具。
【請求項３】
本体に、替刃を入れてなる替刃収納部を設けてなることを特徴とする請求項１又は２記載の封筒開封具。
【請求項４】
封筒を水平方向に挿入するガイドを形成してなる本体内部に、ガイドを同位置に儲け、バネを挿入する、スプリング挿入部と切刃を着脱自在に取り付ける切刃ホルダーを上下動保持するホルダー保持部を設けると共に、切刃ホルダーを出し入れし、切刃ホルダーを上下動させる保持ケースとを垂直方向に連設してなることを特徴とする封筒開封具。
【請求項５】
ガイドに、切刃の先端部が挿通するスリット部を形設してなることを特徴とする請求項１、２、３又は４記載の封筒開封具。
【請求項６】
本体に、カット位置を示すカットマークを設けてなることを特徴とする請求項１、２、３、４、又は５記載の封筒開封具。
【発明の詳細な説明】
【技術分野】
【０００１】  本発明は、封筒を開封する時に使用する手動式の封筒開封具に関するものである。
【背景技術】
【０００２】  従来の技術として、上段、中段、下段の３つのパーツの合体により構成された口切り器具で上段の前方に取り付けた替え刃と下段の前の替え刃受け取り溝との間に切り口部分を挟んで手前に引き寄せる事で綺麗で簡単に挟みきり方法の口切り器具がある。（特許文献１参照）【０００３】  また、別の従来技術として、封筒の封止端部を挿入してスライドさせるための溝部を備えたハウジングと、上記溝部の片側の溝壁側から他側の溝可部に向けてその溝部内に突出されかつハウジングに設けられた支軸に回転自在に支持された切断と、上記ハウジングに形成された開口を通してハウジングの外部に露出する状態で回転自在にハウジングに支持されかつ裏面側にカムを備えた操作つまみと、上記ハウジング内に設けられたガイドにより案内されて往復動可能でかつ上記カムに倣う摺動部材と、摺動部材と上記切断刃との間に介在されて切断刃の刃先を上記溝部の他側の溝壁に向けて付するばねとを備えていることを特徴とする封筒開放用カッター。（特許文献２参照）
【先行技術文献】
【特許文献】
【０００４】
【特許文献１】  特開２００６−２３０９９１号
【特許文献２】  実開平６−４２２９２号
【発明の概要】
【発明が解決しようとする課題】
【０００５】  上記前者の場合、その構造上、大きな封筒等は切ることができない。【０００６】  上記後者の場合、切断刃の強さをカムによって行うため、いちいち調整しなければならず、面倒であり、厚い物はカットできない。
また、封筒等のカット位置が分かりにくく、不便である。【０００７】  本発明は、上記問題点を解決するもので、切刃の交換が簡単で、女性でも力を入れることなくカットすることができると共に、封筒等のカット位置を分かりやすく表示しているため、目的に応じてカットできる封筒開封具を提供することを目的とする。
【課題を解決するための手段】
【０００８】  本発明の手段として、封筒を水平方向に挿入するガイドを形成してなる本体の前部に、切刃を着脱自在に取り付ける切刃ホルダーを上下動させるバネを設けると共に、切刃ホルダーを下方に押える押え具を設けてなること。切刃ホルダーの上への抜けを防止するストッパーを設けてなること。本体に、替刃を入れてなる替刃収納部を設けてなること。封筒を水平方向に挿入するガイドを形成してなる本体内部に、ガイドを同位置に設け、バネを挿入する、スプリング挿入部と切刃を着脱自在に取り付ける切刃ホルダーを上下動保持するホルダー保持部を設けると共に、切刃ホルダーを出し入れし、切刃ホルダーを上下動させる保持ケースとを垂直方向に連設してなること。ガイドに、切刃の先端部が挿通するスリット部を形設してなること。本体に、カット位置を示すカットマークを設けてなることを。
【発明の効果】
【０００９】１）、ガイドを形成した本体と、切刃を着脱自在に設けた切刃ホルダーと、押え具との構成により、切刃の交換が簡単で、押え具により女性でも力を入れることなく厚手の物もカットできると共に、封筒等の長さに関係なくカットできる。
２）、ストッパーを設けることにより、切刃ホルダーを確実に係止できる。
３）、替刃収納部を設けることにより、替刃を容易に交替できる。
４）、ガイドを形成した本体と、切刃ホルダーを上下動保持するホルダー保持部と、保持ケースを垂直方向に連結することにより、コンパクトに形成でき、上下方向を反転させ、カットできる。
５）、スリット部により、切刃の切る位置を調整でき、より確実にカットできる。
６）、カットマークにより、カットする封筒等のカット位置が一目で分かり、作業性を向上させてなる。
【図面の簡単な説明】
【００１０】
【図１】本発明の第１実施例を示す封筒開封具の一部縦断正面図。
【図２】本発明の第１実施例を示す封筒開封具の一部縦断左側面図。
【図３】本発明の第１実施例を示す封筒開封具の一部横断平面図。
【図４】本発明の第１実施例を示す封筒開封具の第１使用状態正面図。
【図５】本発明の第１実施例を示す封筒開封具の第２使用状態正面図。
【図６】本発明の第１実施例を示す封筒開封具の第３使用状態平面図。
【図７】本発明の第１実施例を示す封筒開封具の部分カットされた封筒の平面図。
【図８】本発明の第１実施例を示す封筒開封具の封筒を全カットする場合の封筒位置正面図。
【図９】本発明の第１実施例を示す封筒開封具の替刃手順一部縦断正面図。
【図１０】本発明の第２実施例を示す封筒開封具の本体の縦断正面図。
【図１１】本発明の第２実施例を示す封筒開封具の本体の一部縦断底面図。
【図１２】本発明の第２実施例を示す封筒開封具の本体の一部縦断右側面図。
【図１３】本発明の第２実施例を示す封筒開封具の切刃ホルダーの正面図。
【図１４】本発明の第２実施例を示す封筒開封具の切刃ホルダーの横断底面図。
【図１５】本発明の第２実施例を示す封筒開封具の保持ケースの縦断正面図。
【図１６】本発明の第２実施例を示す封筒開封具の保持ケースの横断平面図。
【図１７】本発明の第２実施例を示す封筒開封具の一部縦断正面図。
【図１８】本発明の第２実施例を示す封筒開封具の縦断右側面図。
【図１９】本発明の第２実施例を示す封筒開封具の一部横断平面図。
【図２０】本発明の第２実施例を示す封筒開封具の第１使用状態正面図。
【図２１】本発明の第２実施例を示す封筒開封具の第２使用状態正面図。
【図２２】本発明の第２実施例を示す封筒開封具の第３使用状態平面図。
【図２３】本発明の第２実施例を示す封筒開封具の部分カットされた封筒の平面図。
【図２４】本発明の第２実施例を示す封筒開封具の封筒を全カットする場合の封筒位置正面図。
【図２５】本発明の第２実施例を示す封筒開封具の替刃手順図。
【発明を実施するための形態】
【００１１】１は、封筒開封具である。
２は、封筒を水平方向に挿入するガイド２ａを形成してなる本体で、前部に後述する切刃ホルダーを装着する装着溝２ｂを形設し、その下方に切刃の先端部が挿通するスリット部２ｃを設けると共に、後部に替刃ＫＢを入れるための収納穴２ｄ１と上下動する閉塞片２ｄ２とネジ式の止具２ｄ３とからなる替刃収納部２ｄを設けてある。
３は、切刃ＫＢ１を設けてなる切刃ホルダーで、切刃取付溝３ａ１・３ａ１を形成した２枚のホルダー本体３ｂをネジ式による挟持具３ｃにて着脱自在に設けてある。
４は、切刃ホルダー３を上方に押し上げるバネである。
５は、前後にスライドする切刃ホルダー３を上方に必要以上突出することを防止するストッパーである。
６は、切刃ホルダー３を下方に押える押え具で、下方を開口してなる押えカバー６ａをピン６ｂにて可動可能に軸支している。
【００１２】  上記封筒開封具１の使用例について述べる。
まず、手Ｔで封筒開封具１を持ち、ガイド２ａに沿って封筒下の開封部Ｆａを挿入する。（図４）
封筒Ｆをガイド２ａの所要位置で止める。（図５）
このとき、本体２の側面に設けたカットマークＭを目印とする。
つぎに、押え具６の押えカバー６ａを下方に押し下げることにより、切刃ホルダー３が下がり、切刃ＫＢ１が封筒Ｔを貫通し、手Ｔ１で封筒の左上端をつまみ、封筒開封具１を右方向に引くことによりカットできる。（図６）
カットされた封筒Ｆの開封部Ｆａは、左側端に切残部ＫＮを残してあり、中味を取り出した後、そのまま破棄する。（図７）
また、切残部ＫＮを残さず、開封部Ｆａを全カットする場合、封筒Ｆの左上端をカットマークＭの位置に合わせて、同様な手順で行えばよい。（図８）
【００１３】  切刃ＫＢ１を交替する場合は、まず、止具２ｄ３を緩め、閉塞片２ｄ２を上方へ移動させ、収納穴２ｄ１内にある替刃ＫＢを取り出す。
つぎに、押え具６の押え６ａを上方に移動させ、ストッパー５をスライドさせた後、切刃ホルダー３を取り出し、挟持具３ｃを緩め、ホルダー本体３ｂを分離させ、中の切刃ＫＢ１を取り外し、替刃ＫＢを入れるものである。
【００１４】  つぎに、第２実施例の封筒開封具を説明する。
２１は、封筒開封具である。
２２は、封筒を水平方向に挿入する案内２２ａ１を設けたガイド２２ａを形成すると共に、上部に切刃の先端部が挿通する上スリット部２２ｂを設けてなり、側面にネジ式の係止部２２ｃを設けた本体で、内部に後述する切刃ホルダーを上下動保持するホルダー部２３を設けてなる本体である。
このホルダー保持部２３は、四角筒体２３ａの前面下端から上方に向かって切欠溝２３ｂを設けると共に、後面下端から上方に向かってスプリングＳを取り付けるスプリング挿入部２３ｃを設け、上面に下スリット部２２ｂに連設した下スリット部２３ｄを設けてある。
２４は、四角筒体２３ａ内に設けてなる切刃ホルダーで、切刃ＫＢ２を挟持すべく、切刃取付溝２４ａ１を形成し、スプリングＳを押圧する押圧片２４ａ２を突設してなる内ホルダー本体２４ａと、ホルダー本体２４ａの両側テーパー部２４ａ３に、スライド可能に圧着する外ホルダー本体２４ｂとから構成する。
２５は、切刃ホルダー２４を出し入れし、切刃ホルダー２４を上下動させる保持ケースで、四角筒体２３ａの外周に係止すべく、四角筒体２５ａの背面中央に、係止部２２ｃを貫通させ係止する係止孔２５ｂを形設してなり、下面に台板２５ｃを設けてある。
【００１５】  封筒開封具２１の使用例について説明する。
まず、手Ｔ２で封筒開封具２１を持ち、案内２２ａ１よりガイド２２ａに沿って封筒Ｆ１の開封部Ｆｂを挿入する。（図２０）
この時、本体２２の正面に設けたカットマークＭ１を目印とする。
なお、必要に応じて設けた指当てＹに指Ｙを当てることにより、磨れることなく作業ができる。
つぎに、本体２２の上面を下方に押し下げることにより、切刃ホルダー２４の切刃ＫＢ２がスリット部２３ｅ・２２ｂを連通して突出することにより封筒Ｆ１を貫通する。（図２１）
手Ｔ３で封筒Ｆ１の左上端をつまみ、封筒開封具２１を右方向に引くことによりカットできる。（図２２）
カットされた封筒Ｆ１の開封部Ｆｂは、左側端に切残部ＫＮ１を残してある。（図２３）
また、切残部ＫＮ１を残さず、開封部Ｆｂを全カットする場合、封筒Ｆ１の左上端をカットマークＭ１の位置に合わせて、同様な手順で行えばよい。（図２４）
【００１６】  切刃ＫＢ２を交替する場合は、まず上下逆にして係止部２２ｃを緩め、係止孔２５ｂより外し、封筒開封具２１の保護ケース２５を引き抜く。
圧縮スプリングＳの力で切刃ホルダー２４が突出し、取り出して外ホルダー本体２４ｂをスライドさせ、中の切刃ＫＢ２を取り替えるものである。
【００１７】  上記各実施例において、材質は特に限定するものではない。
また、形状等も同様な機能を有するものであれば、特に限定するものではない。
【符号の説明】
【００１８】１−−−−封筒開封具
２−−−−封筒開封具本体
３−−−−切刃ホルダー
４−−−−バネ
５−−−−ストッパー
６−−−−押え具
【図１】
2012148042.tif 000003
【図２】
2012148042.tif 000004
【図３】
2012148042.tif 000005
【図４】
2012148042.tif 000006
【図５】
2012148042.tif 000007
【図６】
2012148042.tif 000008
【図７】
2012148042.tif 000009
【図８】
2012148042.tif 000010
【図９】
2012148042.tif 000011
【図１０】
2012148042.tif 000012
【図１１】
2012148042.tif 000013
【図１２】
2012148042.tif 000014
【図１３】
2012148042.tif 000015
【図１４】
2012148042.tif 000016
【図１５】
2012148042.tif 000017
【図１６】
2012148042.tif 000018
【図１７】
2012148042.tif 000019
【図１８】
2012148042.tif 000020
【図１９】
2012148042.tif 000021
【図２０】
2012148042.tif 000022
【図２１】
2012148042.tif 000023
【図２２】
2012148042.tif 000024
【図２３】
2012148042.tif 000025
【図２４】
2012148042.tif 000026
【図２５】
2012148042.tif 000027